(57)【要約】【課題】光源、これを有するバックライトアセンブリー及び表示装置を提供する。【解決手段】光源は、光を輻射するランプボディーと、ランプボディーに形成された遮断層と、を含む。遮断層は、ランプボディーから輻射される赤外線を遮断して、赤外線信号を利用して電子機器を制御する遠隔制御装置との信号干渉を防止する。これによって、遠隔制御装置から輻射された赤外線信号の歪曲を防止するので、製品の信頼度が向上する。【選択図】図１
2008066277.tif 000002
【特許請求の範囲】
【請求項１】
内部に放電ガスが充填され、光を輻射する発光領域および光を輻射しない両端部からなるランプボディーと、
前記ランプボディーの内壁にコーティングされ、前記光を発生する蛍光層と、
前記ランプボディーに形成され、前記ランプボディーから輻射された赤外線を遮断する遮断層と、を含むことを特徴とする光源。
【請求項２】
前記遮断層は、前記ランプボディーの全体をカバーすることを特徴とする請求項１に記載の光源。
【請求項３】
前記遮断層は、前記発光領域に対応して位置することを特徴とする請求項１に記載の光源。
【請求項４】
前記遮断層は、前記発光領域の全体をカバーすることを特徴とする請求項３に記載の光源。
【請求項５】
前記遮断層は、前記発光領域の一部をカバーすることを特徴とする請求項３に記載の光源。
【請求項６】
前記ランプボディーに具備され、前記ランプボディーに電源を提供する電極部をさらに含むことを特徴とする請求項１〜５のいずれか１つに記載の光源。
【請求項７】
前記電極部は、前記両端部にそれぞれ具備され、
前記遮断層は、前記両端部と隣接する領域に位置することを特徴とする請求項６に記載の光源。
【請求項８】
前記電極部は前記ランプボディー内部に具備されることを特徴とする請求項６または７に記載の光源。
【請求項９】
前記遮断層は、前記ランプボディーの外壁にコーティングされることを特徴とする請求項１〜８のいずれか１つに記載の光源。
【請求項１０】
前記遮断層は前記ランプボディーの内壁にコーティングされることを特徴とする請求項１〜８のいずれか１つに記載の光源。
【請求項１１】
前記遮断層は前記赤外線を遮断する有機物質からなることを特徴とする請求項１〜１０のいずれか１つに記載の光源。
【請求項１２】
前記有機物質はポリカーボネートを含むことを特徴とする請求項１１に記載の光源。
【請求項１３】
前記遮断層は二酸化ジルコニウムを含むことを特徴とする請求項１１に記載の光源。
【請求項１４】
内部に放電ガスが充填され、赤外線を遮断し、光を輻射するランプボディーと、
前記ランプボディーの内壁にコーティングされ、前記光を発生する蛍光層と、を含むことを特徴とする光源。
【請求項１５】
前記ランプボディーは内壁と外壁との間には、前記赤外線を遮断する遮断層が形成されることを特徴とする請求項１４に記載の光源。
【請求項１６】
外部から電源が提供されて光を生成し、前記光から赤外線を除去して輻射する複数の光源と、
前記複数の光源の上部に配置され、前記複数の光源から輻射された光の輝度を向上させて輻射する光学部材と、を含むことを特徴とするバックライトアセンブリー。
【請求項１７】
各光源は、内部に放電ガスが充填され、前記光を輻射する発光領域と前記光を輻射しない両端部からなるランプボディーと、前記ランプボディーの内壁にコーティングされ、前記光を発生する蛍光層と、前記ランプボディーに形成され、前記ランプボディーから輻射される赤外線を遮断する遮断層と、を含むことを特徴とする請求項１６に記載のバックライトアセンブリー。
【請求項１８】
前記遮断層は前記ランプボディーの全体をカバーすることを特徴とする請求項１７に記載のバックライトアセンブリー。
【請求項１９】
前記遮断層は前記発光領域に対応して位置することを特徴とする請求項１７に記載のバックライトアセンブリー。
【請求項２０】
前記遮断層は前記発光領域の全体をカバーすることを特徴とする請求項１９に記載のバックライトアセンブリー。
【請求項２１】
前記遮断層は前記発光領域の一部をカバーすることを特徴とする請求項１９に記載のバックライトアセンブリー。
【請求項２２】
前記光源は、前記ランプボディーに具備され、前記ランプボディーに電源を提供する電極部をさらに含むことを特徴とする請求項１７〜２１のいずれか１つに記載のバックライトアセンブリー。
【請求項２３】
前記電極部は前記ランプボディーの両端部にそれぞれ具備され、
前記遮断層は前記電極部と隣接に位置することを特徴とする請求項２２に記載のバックライトアセンブリー。
【請求項２４】
外部から電源が提供されて光を生成し、前記光から赤外線を除去して輻射する複数の光源、及び前記複数の光源の上部に配置され、前記複数の光源から輻射された光の輝度を向上させて輻射する光学部材を含むバックライトアセンブリーと、
前記光学部材の上部に位置し、前記光学部材から入射された光を利用して映像を表示する表示パネルと、を含むことを特徴とする表示装置。
【請求項２５】
前記光源の各々は、内部に放電ガスが充填され、前記光を輻射するランプボディーと、前記ランプボディーの内壁にコーティングされ、前記光を発生する蛍光層と、前記ランプボディーに形成され、前記ランプボディーから輻射される赤外線を遮断する遮断層と、を含むことを特徴とする請求項２４に記載の表示装置。
【請求項２６】
ユーザの操作によって赤外線信号を出力する遠隔制御部と、前記赤外線信号に応答して前記表示パネルを制御する制御信号を出力し、前記制御信号を前記表示パネルに提供するメイン制御部と、をさらに含むことを特徴とする請求項２５に記載の表示装置。
【発明の詳細な説明】
【技術分野】
【０００１】
本発明は光源、これを有するバックライトアセンブリー及び表示装置に関し、さらに詳細には、赤外線信号のエラーを防止する光源、これを有するバックライトアセンブリー及び表示装置に関する。
【背景技術】
【０００２】
一般的に、液晶表示装置は屈折率異方性、誘電率異方性などの光学的、電気的特性を有する液体を利用して映像を表示する表示装置である。液晶表示装置は映像を表示する液晶表示パネル及び液晶表示パネルに光を提供するバックライトアセンブリーを含む。
【０００３】
バックライトアセンブリーは光を発生するランプ及びランプから輻射された光の特性を向上させて液晶表示パネルに提供する光学シートを含む。このようなバックライトアセンブリーはランプの位置によってエッジ型バックライトアセンブリーと直下型バックライトアセンブリーとに分類される。エッジ型バックライトアセンブリーは、光をガイドして液晶表示パネルに提供する導光板の片側にランプが具備されている。直下型バックライトアセンブリーは、複数のランプが液晶表示パネルと対向して配置されており、テレビのように大型の画面が必要求な大型液晶表示装置に採用されている。
【０００４】
一般的に、テレビのような映像処理装置は、ユーザの操作によって生成された制御信号、例えば、チャンネル変換、ボリューム調節及び映像調整などのための信号をリモートコントローラから受信し、その制御信号に応じて表示される映像を操作する。特に、リモートコントローラは制御信号を２０〜５０ｋＨｚ帯域の赤外線信号の形態で出力する。しかし、ランプから輻射される光は赤外線を含むので、リモートコントローラから輻射された赤外線とランプから輻射された赤外線との間の干渉が発生する。特に、ランプの長さが長くなるほど、さらに多くの赤外線が発生するので、リモートコントローラとランプとの間の赤外線干渉がさらに多く発生する。このような赤外線干渉は、リモートコントローラから輻射された赤外線信号の歪曲を誘発するので、製品の信頼性が低下する。
【発明の開示】
【発明が解決しようとする課題】
【０００５】
本発明の目的は、赤外線を遮断して赤外線干渉を防止することができる光源を提供することにある。
【０００６】
また、本発明の目的は、上記した光源を具備するバックライトアセンブリーを提供することにある。
【０００７】
また、本発明の目的は、上記したバックライトアセンブリーを具備する表示装置を提供することにある。
【課題を解決するための手段】
【０００８】
上記した本発明の目的を実現するための一実施形態に係る光源はランプボディー、蛍光層及び遮断層からなる。
【０００９】
ランプボディーは、内部に放電ガスが充填され、光を輻射する。前記ランプボディーは、光を輻射する発光領域および光を輻射しない両端部と、からなる。蛍光層は、前記ランプボディーの内壁にコーティングされ、前記光を発生する。遮断層は、前記ランプボディーに形成され、前記ランプボディーから輻射された赤外線を遮断する。
【００１０】
一方、光源は、前記ランプボディーに具備され、前記ランプボディーに電源を提供する電極部をさらに含み、前記電極部は、前記ランプボディーの前記両端部にそれぞれ具備される。
【００１１】
前記遮断層は、前記ランプボディーの全体をカバーすることもでき、前記光が輻射される発光領域の全体に位置することもでき、前記発光領域の一部に位置することもできる。前記遮断層が前記発光領域の一部に位置する場合、前記遮断層は前記電極部が具備される前記両端部と隣接する領域に位置する。また、前記遮断層は、前記ランプボディーの外壁にコーティングされるか、または内壁にコーティングされる。
【００１２】
また、上記した本発明の目的を実現するための他の実施形態による光源は、ランプボディー及び蛍光層からなる。
【００１３】
ランプボディーは、内部に放電ガスが充填され、赤外線を遮断し、光を輻射する。蛍光層は、前記ランプボディーの内壁にコーティングされ、前記光を発生する。
【００１４】
また、上記した本発明の目的を達成するための一実施形態によるバックライトアセンブリーは、複数の光源及び光学部材からなる。
【００１５】
複数の光源は外部から電源が提供されて光を発生し、前記光から赤外線を除去して輻射する。光学部材は、前記複数の光源の上部に配置され、前記多数の光源から輻射された光の輝度を向上させて輻射する。
【００１６】
また、上記した本発明の目的を達成するための一実施形態による表示装置は、バックライトアセンブリー及び表示パネルからなる。
【００１７】
バックライトアセンブリーは、複数の光源及び光学部材を具備する。複数の光源は、外部から電源が提供されて光を発生し、前記光から赤外線を除去して輻射する。光学部材は、前記複数の光源の上部に配置され、前記複数の光源から輻射された光の輝度を向上させて輻射する。表示パネルは、前記光学部材の上部に位置し、前記光学部材か入射された光を利用して映像を表示する。
【００１８】
また、表示装置は遠隔制御部及びメイン制御部をさらに含む。遠隔制御部はユーザの操作によって赤外線信号を出力する。メイン制御部は、前記赤外線信号に応答して前記表示パネルを制御する制御信号を出力し、前記制御信号を前記表示パネルに提供する。
【発明の効果】
【００１９】
このような光源、これを有するバックライトアセンブリー及び表示装置は、光源から輻射される赤外線を遮断する遮断層を具備しているため、遠隔制御部から輻射される赤外線信号の歪曲を防止することができる。これによって、赤外線信号歪曲による表示装置の制御エラーを防止することができるので、製品の信頼性を向上させることができる。
【発明を実施するための最良の形態】
【００２０】
以下、添付した図を参照して、本発明をさらに詳細に説明する。
【００２１】
図１は本発明の一実施形態に係る光源を示した斜視図であり、図２は図１の切断線Ｉ−Ｉ´に沿って切断した断面図である。
【００２２】
図１及び図２を参照すると、本発明の光源１００ａはランプボディー１１０、蛍光層１２０及び遮断層１３１を含む。
【００２３】
前記ランプボディー１１０は、チューブ形状を有し、前記ランプボディー１１０の内部から発生された光が外部に輻射されるように透明なガラス材質からなる。前記ランプボディー１１０は、実質的に前記光が輻射される発光領域ＬＡ及び前記光が輻射されない第１及び第２端部Ｅ１、Ｅ２に画定される。前記ランプボディー１１０の内部は真空状態を維持し、少なくとも２種類の放電ガスが注入される。前記放電ガスは、水銀（Ｈｇ）、ネオン（Ｎｅｏｎ）、アルゴン（Ａｒｇｏｎ）、クリプトン（Ｋｒｙｐｔｏｎ）及びキセノン（Ｘｅｏｎ）などを含む。前記放電ガスは、外部から前記ランプボディー１１０に電源が印加されれば、イオン化されて電子を発生し、これによって、可視光線より波長の紫外線が発生する。
【００２４】
前記蛍光層１２０は、前記ランプボディー１１０の内壁にコーティングされ、前記発光領域ＬＡに具備される。前記蛍光層１２０は、前記ランプボディー１１０の内部から発生された紫外線を肉眼で認識することができる可視光線に変更して輻射する。
【００２５】
前記遮断層１３１は、前記発光領域ＬＡに具備され、前記発光領域ＬＡの全体をカバーする。前記遮断層１３１は前記ランプボディー１１０の外壁にコーティングされてランプボディー１１０から輻射される赤外線を遮断する。すなわち、前記ランプボディー１１０から輻射される光は赤外線を一部含んでいる。前記ランプボディー１１０から輻射される赤外線の量は前記ランプボディー１１０の長さが大きいほど増加する。
【００２６】
前記光源１００ａから輻射される赤外線は、赤外線信号を利用して電子機器を制御する遠隔制御装置との信号干渉を誘発し、これにより、前記遠隔制御装置から輻射された赤外線信号が歪曲される。これを防止するため、前記遮断層１３１は前記ランプボディー１１０から輻射される赤外線を遮断して前記遠隔制御装置の信号歪曲を防止する。
【００２７】
前記遮断層１３１は赤外線を遮断する有機物質、例えば、二酸化ジルコニウム（Ｚｉｒｃｏｎｉｕｍ  ｄｉｏｘｉｄｅ）、ポリカーボネート（Ｐｏｌｙｃａｒｂｏｎａｔｅ）などからなる。
【００２８】
この実施形態において、前記光源１００ａは、前記ランプボディー１１０から輻射される赤外線を遮断するために別途の遮断層１３１を具備するが、別途の遮断層１３１を具備する代わりに、前記ランプボディー１１０が前記赤外線を遮断する物質を含むこともできる。すなわち、前記ランプボディー１１０形成時に、前記赤外線を遮断する物質を添加することにより、前記ランプボディー１１０が前記赤外線を遮断できるようにする。このような場合、前記ランプボディー１１０自体が、前記赤外線が外部に輻射されないように遮断する。
【００２９】
一方、前記光源１００ａは、前記ランプボディー１１０に前記電源を提供する第１及び第２電極部１４１、１４２をさらに具備する。前記第１及び第２電極部１４１、１４２は前記ランプボディー１１０の第１及び第２端部Ｅ１、Ｅ２にそれぞれ具備され、外部から前記電源が印加される。
【００３０】
この実施形態において、前記第１及び第２電極部１４１、１４２は、前記ランプボディー１１０内部に具備される内部電極であるが、前記ランプボディー１１０の外側に具備される外部電極であってもよい。前記外部電極は、前記ランプボディー１１０の両側端を囲むように、前記ランプボディー１１０の第１及び第２端部Ｅ１、Ｅ２に具備される。
【００３１】
前記第１及び第２電極部１４１、１４２は、前記電源を印加する第１及び第２ワイヤ１５１、１５２とそれぞれ電気的に接続される。前記第１及び第２ワイヤ１５１、１５２は、前記電源を供給する電源供給装置（図示しない）と電気的に接続され、前記電源を前記第１及び第２電極部１４１、１４２にそれぞれ提供する。
【００３２】
図３は本発明の他の実施形態に係る光源を示した断面図である。
【００３３】
図３を参照すると、本発明の光源１００ｂは、遮断層１３２を除いては図１及び図２に示した光源１００ａと同一の構成を有する。したがって、前記光源１００ｂに関する具体的な説明において、図１に示した光源１００ａと同一の構成要素には同一の参照番号を付し、その具体的な説明は省略する。
【００３４】
前記光源１００ｂは、ランプボディー１１０、蛍光層１２０、第１及び第２電極部１４１、１４２、及び前記遮断層１３２を含む。前記遮断層１３２は前記ランプボディー１１０の外壁の全体にコーティングされており、前記ランプボディー１１０から輻射される赤外線を遮断する。すなわち、前記遮断層１３２は、前記光が輻射される発光領域ＬＡだけでなく、前記第１及び第２電極部１４１、１４２が位置する前記ランプボディーの両端部Ｅ１、Ｅ２にもコーティングされる。これによって、前記発光領域ＬＡから輻射される赤外線だけでなく、前記ランプボディー１１０の両端部Ｅ１、Ｅ２から漏れる赤外線まで遮断することができる。
【００３５】
図４は本発明のさらに他の実施形態に係る光源を示した断面図である。
【００３６】
図４を参照すると、本発明の光源１００ｃは、遮断層１３３を除いては図１及び図２に示した光源１００ａと同一の構成を有する。したがって、前記光源１００ｃに関する具体的な説明において、図１に示した光源１００ａと同一の構成要素には同一の参照番号を付し、その具体的な説明は省略する。
【００３７】
前記光源１００ｃはランプボディー１１０、蛍光層１２０、第１及び第２電極部１４１、１４２、及び前記遮断層１３３を含む。前記遮断層１３３は前記ランプボディー１１０の外壁にコーティングされて、前記ランプボディー１１０から輻射される赤外線を遮断する。前記遮断層１３３は実質的に光が輻射される発光領域ＬＡに具備され、前記発光領域ＬＡの一部をカバーする。
【００３８】
具体的に、前記遮断層１３３は、前記第１及び第２電極部１４１、１４２がそれぞれ具備される前記ランプボディー１１０の両端部Ｅ１、Ｅ２と隣接する領域に位置する。これは、前記発光領域ＬＡ内の前記第１及び第１電極部１４１、１４２のそれぞれと隣接した領域から赤外線が多量に輻射されるためである。したがって、前記遮断層１３３を前記第１及び第２電極部１４１、１４２のそれぞれと隣接した領域に配置すれば、前記ランプボディー１１０から輻射される赤外線を効果的に遮断することができる。また、前記第１及び第２電極部１４１、１４２のそれぞれと隣接した領域は他の領域より相対的に輝度が高い。したがって、前記遮断層１３３を前記第１及び第２電極部１４１、１４２のそれぞれと隣接した領域に配置すれば、前記遮断層１３３が前記光の一部を吸収するので、前記ランプボディー１１０の輝度均一度を向上させることができる。
【００３９】
図５は本発明のさらに他の実施形態に係る光源を示した断面図である。
【００４０】
図５を参照すると、本発明の光源１００ｄは、遮断層１３４を除いては図１及び図２に示した光源１００ａと同一の構成を有する。したがって、前記光源１００ｄに関する具体的な説明において、図１に示した光源１００ａと同一の構成要素については同一の参照番号を付し、その具体的な説明は省略する。
【００４１】
前記光源１００ｄは、ランプボディー１１０、蛍光層１２０、第１及び第２電極部１４１、１４２、及び前記遮断層１３４を含む。前記遮断層１３４は前記ランプボディー１１０の内壁にコーティングされ、前記蛍光層１２０は前記遮断層１３４の上面に形成される。前記遮断層１３４は光が発生される発光領域ＬＡに具備され、前記発光領域ＬＡの全体をカバーし、前記ランプボディー１１０の内部から発生された赤外線が外部に漏れることを防止する。
【００４２】
図６は本発明のさらに他の実施形態に係る光源を示した断面図である。
【００４３】
図６を参照すると、本発明の光源１００ｅは遮断層１３５を除いては図１及び図２に示した光源１００ａと同一の構成を有する。したがって、前記光源１００ｅに関する具体的な説明において、図１に示した光源１００ａと同一の構成要素については同一の参照番号を付し、その具体的な説明は略する。
【００４４】
前記光源１００ｅは、ランプボディー１１０、蛍光層１２０、第１及び第２電極部１４１、１４２、及び前記遮断層１３５を含む。前記遮断層１３５は、前記ランプボディー１１０の内壁の全体にコーティングされ、前記ランプボディー１１０の内部から発生された赤外線が外部に漏れることを防止する。すなわち、前記遮断層１３５は、前記光が輻射される発光領域ＬＡだけでなく、前記第１及び第２電極部１４１、１４２がそれぞれ位置する前記ランプボディーの両端部Ｅ１、Ｅ２にもコーティングされる。これによって、前記発光領域ＬＡから輻射される赤外線だけでなく、前記ランプボディー１１０の両端部Ｅ１、Ｅ２から漏れる赤外線まで遮断することができる。前記蛍光層１２０は、前記遮断層１３５の上面の一部に形成されて、前記発光領域ＬＡの全体をカバーする。
【００４５】
図７は本発明のさらに他の実施形態に係る光源を示した断面図である。
【００４６】
図７を参照すると、本発明の光源１００ｆは、遮断層１３６を除いては図１及び図２に示した光源１００ａと同一の構成を有する。したがって、前記光源１００ｅに関する具体的な説明において、図１に示した光源１００ａと同一の構成要素については同一の参照番号を付し、その具体的な説明は省略する。
【００４７】
前記光源１００ｅは、ランプボディー１１０、蛍光層１２０、第１及び第２電極部１４１、１４２、及び前記遮断層１３６を含む。前記遮断層１３６は、前記ランプボディー１１０の内壁にコーティングされ、前記ランプボディー１１０の内部から発生された赤外線が外部に漏れることを防止する。前記遮断層１３６は、前記光が輻射される発光領域ＬＡに具備され、前記発光領域ＬＡの一部をカバーする。特に、前記遮断層１３６は、前記第１及び第２電極部１４１、１４２がそれぞれ具備される第１及び第２端部Ｅ１、Ｅ２と隣接する領域に位置する。前記蛍光層１２０は、前記遮断層１３６が具備された前記ランプボディー１１０の内壁にコーティングされ、前記発光領域ＬＡの全体をカバーする。したがって、前記蛍光層１２０の一部は前記遮断層１３６の上面に形成される。
【００４８】
以下、図面を参照して前記光源１００ａが適用されたバックライトアセンブリーについて具体的に説明する。
【００４９】
図８は本発明の一実施形態に係るバックライトアセンブリーを示した分解斜視図であり、図９は図８の切断線ＩＩ−ＩＩ´に沿って切断したバックライトアセンブリーを示した断面図である。
【００５０】
図８及び図９を参照すると、バックライトアセンブリー２００は、光供給ユニット２１０、拡散板２２０、光学シート２３０、反射板２４０、及びボトムシャーシ２５０を含む。
【００５１】
前記光供給ユニット２１０は光を発生する複数の光源及び前記複数の光源を固定する複数のランプホルダーを具備する。
【００５２】
前記複数の光源の各々は、一方向に延伸しており、前記複数の光源どうしは、長さ方向と直交する方向に離隔されて配置される。本発明の一実施形態において、各光源１００ａは、図１及び図２に示した光源１００ａと同一の構成を有するため、同一の参照番号を付し、前記光源１００ａに関する具体的な説明は省略する。
【００５３】
前記光源１００ａは、前記光を輻射するランプボディー１１０、前記ランプボディー１１０の内壁に形成された蛍光層１２０、前記ランプボディー１１０の外壁に形成された遮断層１３１、及び電源を提供する第１及び第２電極部１４１、１４２を含む。
【００５４】
この実施形態において、前記遮断層１３１は、前記光が輻射される発光領域ＬＡのみをカバーするが、前記ランプボディー１１０の全体をカバーすることもできる。また、この実施形態において、前記遮断層１３１は、前記発光領域ＬＡの全体をカバーするが、一部分のみをカバーすることもできる。また、前記遮断層１３１は、前記ランプボディー１１０の外壁にコーティングされるが、前記ランプボディー１１０の内壁にコーティングされることもできる。
【００５５】
前記遮断層１３１は、赤外線を利用して電子機器を制御する遠隔制御装置と前記光源１００ａとの間の赤外線干渉を防止する。すなわち、前記遠隔制御装置が、前記バックライトアセンブリー２００が適用された装置を制御する場合、前記遠隔制御装置から輻射された赤外線と前記光源１００ａから輻射された赤外線との間に干渉が発生しうる。前記遮断層１３１は、前記ランプボディー１１０から輻射される赤外線を遮断して、前記遠隔制御装置から輻射された赤外線信号の歪曲を防止する。
【００５６】
前記複数の光源の両端部には前記複数のランプホルダーが具備され、前記複数のランプホルダーは前記ボトムシャーシ２５０に固定される。本発明の一実施形態において、各ランプホルダー２１２には互いに隣接する２つの光源が挿入されるが、１つの光源のみが挿入されることもできる。
【００５７】
前記ランプホルダー２１２には前記光源１００ａの第１及び第２ワイヤ１５１、１５２を外部に引き出すためのホール２１２ａが形成される。図９に示したように、前記光源１００ａの第１ワイヤ１５１は前記溝２１２ａを介して前記ランプホルダー２１２の外部に引き出される。
【００５８】
前記光供給ユニット２１０の上部には前記拡散板２２０が具備される。前記拡散板２２０は前記光源から輻射される光を拡散して輝度均一性を向上させる。前記拡散板２２０は所定の厚さを有するプレート形状からなり、前記光源１００ａから一定の間隔だけ離れている。前記拡散板２２０は光を透過させることができる透明の材質からなり、前記光を拡散するための拡散剤を含んでいる。
【００５９】
前記拡散板２２０の上部には前記光学シート２３０が少なくとも１枚具備される。前記光学シート２３０は前記拡散板２２０から輻射された光の経路を再度変更して、輝度特性を向上させる。光学シート２３０には、光を集光して正面輝度を向上させるプリズムシートや光を拡散して輝度均一性を向上させる拡散シートなどが含まれる。
【００６０】
前記反射板２４０は前記複数の光源の下に具備される。前記反射板２４０は、前記複数の光源から入射された光を反射させて、前記光の利用効率を向上させる。前記反射板２４０は、前記複数のランプホルダーに対応する位置に形成された溝を有しており、前記溝に前記複数のランプホルダーが挿入される。
【００６１】
前記光供給ユニット２１０及び前記反射板２４０は、前記ボトムシャーシ２５０に収納される。前記ボトムシャーシ２５０は、前記反射板２４０が安着される底面２５１と、前記底面２５１のエッジ部分から延長された、前記光供給ユニット２１０を収納するための収納空間を形成する側壁２５２と、を含む。本発明の一実施形態において、前記側壁２５２は前記光源１００ａの長さ方向に沿って延伸され、他の構成要素との結合空間を提供するために、断面が“コ”形状をなすようにベンディング成形される。
【００６２】
一方、前記バックライトアセンブリー２００は、前記複数の光源に電源を提供する第１及び第２インバーターボード２６１、２６２をさらに含む。前記第１インバーターボード２６１は、前記複数の光源の第１ワイヤと電気的に接続され、前記第２インバーターボード２６２は、前記複数の光源の第２ワイヤと電気的に接続される。前記第１及び第２インバーターボード２６１、２６２は、外部から印加される低電位の交流電源を前記光源１００ａ駆動に適する高電位の交流電源に昇圧して出力する。前記第１及び第２インバーターボード２６１、２６２は、前記バーターシャーシ２５０の背面に位置し、前記複数の光源の両端部にそれぞれ１つずつ配置される。
【００６３】
この実施形態において、前記バックライトアセンブリー２００は、２つのインバーターボード２６１、２６２を具備するが、１つのインバーターボードを具備することもできる。１つのインバーターボードのみを具備する場合、前記複数の光源の第１ワイヤと第２ワイヤの全てが１つのインバーターボードに接続される。
【００６４】
前記バックライトアセンブリー２００は、前記第１及び第２インバーターボード２６１、２６２を保護するための第１及び第２シールドケース２７１、２７２をさらに含む。前記第１及び第２シールドケース２７１、２７２は、前記第１及び第２インバーターボード２６１、２６２をそれぞれ覆い、前記ボトムシャーシ２５０の底面２５１と結合する。前記第１及び第２シールドケース２７１、２７２は、外部衝撃から前記第１及び第２インバーターボード２６１、２６２を保護し、前記第１及び第２インバーターボード２６１、２６２から発生される電磁波を遮蔽する。
【００６５】
また、前記バックライトアセンブリー２００は、前記複数の光源を固定する第１及び第２サイドモールド２８１、２８２をさらに含む。前記第１及び第２サイドモールド２８１、２８２は、前記複数の光源の両端部にそれぞれ配置される。前記第１及び第２サイドモールド２８１、２８２は、前記複数のランプホルダーが外部に露出することを防止するために、前記複数のランプホルダーをカバーし、その位置を固定する。前記第１及び第２サイドモールド２８１、２８２の上部には前記拡散板２２０及び前記光学シート２３０が配置される。前記第１及び第２サイドモールド２８１、２８２は、前記拡散板２２０の端部を支持し、前記拡散板２２０の位置をガイドする。
【００６６】
図１０は本発明の一実施形態に係る表示装置を示したブロック図である。
【００６７】
図１０を参照すると、表示装置８００は、バックライトアセンブリー２００、映像信号処理部３００、パネルアセンブリー４００、遠隔制御部５００、受信部６００及びメイン制御部７００を含む。
【００６８】
前記バックライトアセンブリー２００は、前記光を発生して前記パネルアセンブリー４００に提供する。前記映像信号処理部３００は、外部から受信された映像信号をデコーディングして、前記パネルアセンブリー４００に提供する。前記パネルアセンブリー４００は、前記光を利用して前記映像信号に対応する映像を表示する。ここで、前記バックライトアセンブリー２００及び前記パネルアセンブリー４００については図１１を用いて詳細に説明する。
【００６９】
前記遠隔制御部５００は、前記表示装置８００を用いるユーザの操作によって約２０〜５０ｋＨｚ帯域の赤外線信号を出力する。前記遠隔制御部５００では、リモートコントローラなどがある。前記遠隔制御部５００から輻射された赤外線信号は前記表示装置８００を操作するための操作命令を含む。本発明の一実施形態において、前記操作命令には、前記映像の画質を調節する命令、前記映像の大きさを調節する命令、前記映像に対応する音声出力を調節する命令、前記パネルアセンブリー４００に出力される映像を変更する命令などが含まれる。ここで、前記表示装置８００が前記映像に対応する音声を出力する場合には、前記音声出力のための別途の機器をさらに具備することもできる。
【００７０】
前記遠隔制御部５００から出力された赤外線信号は、前記受信部６００に伝送され、前記受信部６００は前記赤外線信号に対応する電気信号を出力して、前記メイン制御部７００に提供する。これによって、前記ユーザは前記遠隔制御部５００を利用して無線で前記表示装置８００を操作することができる。
【００７１】
前記メイン制御部７００は前記電気信号に対応して、前記バックライトアセンブリー２００、前記映像信号処理部３００、及び前記パネルアセンブリー４００を制御するための制御信号を出力する。
【００７２】
以下、図面を参照して前記バックライトアセンブリー２００と前記パネルアセンブリー４００の構造について具体的に説明する。
【００７３】
図１１は図１０に示したバックライトアセンブリーと表示パネルアセンブリーを示した分解斜視図である。
【００７４】
図１０及び図１１を参照すると、前記バックライトアセンブリー２００は、図８に示したバックライトアセンブリー２００と同一の構成を有するため、同一の参照番号を付し、重複された説明は省略する。
【００７５】
前記バックライトアセンブリー２００の光供給ユニット２１０は前記光を発生する。前記光供給ユニット２１０に具備された各光源１００ａは、赤外線を遮断する遮断層１３１（図１参照）を具備する。前記遮断層１３１は、ランプボディー１１０から輻射される赤外線を遮断して、前記光源１００ａと前記遠隔制御部５００との間の信号干渉を防止し、前記遠隔制御部５００から輻射された赤外線信号の歪曲を防止する。これによって、前記赤外線信号の歪曲による制御エラーを防止することができるので、製品の信頼性を向上させることができる。
【００７６】
前記バックライトアセンブリー２００の上部には前記パネルアセンブリー４００が具備される。前記パネルアセンブリー４００は、液晶表示パネル４１０、ソース印刷回路基板４２０、ソーステープキャリアパッケージ（Ｔａｐｅ  Ｃａｒｒｉｅｒ  Ｐａｃｋａｇｅ：以下、ＴＣＰという）４３０、及びゲートＴＣＰ４４０を含む。
【００７７】
前記液晶表示パネル４１０は前記複数の光源の上部に配置され、前記光を利用して前記映像を表示する。前記液晶表示パネル４１０は、２枚の基板及び前記２枚の基板の間に介在された液晶層からなる。前記ソース印刷回路基板４２０は、前記ソースＴＣＰ４３０を介して前記液晶表示パネル４１０と電気的に接続される。前記ソース印刷回路基板４２０は、前記映像信号に対応してデータ駆動信号を出力し、前記データ駆動信号を前記ソースＴＣＰ４３０に提供する。前記ゲートＴＣＰ４４０は前記液晶表示パネル４１０の一側に付着し、前記ゲート信号を出力する。
【００７８】
前記パネルアセンブリー４００は、前記液晶表示パネル４１０及び前記ソース印刷回路基板４２０を制御するコントロール印刷回路基板４５０、及び前記コントロール印刷回路基板４５０と前記ソース印刷回路基板４２０とを電気的に接続するフレキシブルプリント基板４６０をさらに含む。
【００７９】
前記コントロール印刷回路基板４５０は、前記バックライトアセンブリー２００のボトムシャーシ２５０の背面に配置される。前記コントロール印刷回路基板４５０は、前記メイン制御部７００から受信された制御信号に対応して、前記液晶表示パネル４１０を制御するための電気信号を出力する。また、前記コントロール印刷回路基板４５０は、前記映像信号処理部３００から前記映像信号を受信して前記ソース印刷回路基板４２０に提供する。
【００８０】
前記コントロール印刷回路基板４５０は、第３シールドケース４７０により保護される。前記第３シールドケース４７０は、前記コントロール印刷回路基板４５０を覆い、前記ボトムシャーシ２５０の底面２５１と結合する。前記第３シールドケース４７０は、外部の衝撃から前記コントロール印刷回路基板４５０を保護し、前記コントロール印刷回路基板４５０から発生された電磁波を遮蔽する。
【００８１】
前記パネルアセンブリー４００は、前記液晶表示パネル４１０を収納するモールドフレーム４８０をさらに含む。前記モールドフレーム４８０は、前記拡散板２２０及び光学シート２３０のエッジ部分に当接され、前記ボトムシャーシ２５０の側壁２５２と結合する。前記モールドフレーム４８０は、その大きさが大きくなるほど一体型に製作しにくくなるので、２つまたは４つの部材に分割された構造を有することもできる。
【００８２】
また、前記パネルアセンブリー４００は、前記液晶表示パネル４１０の位置をガイドするトップシャーシ４９０をさらに含む。前記トップシャーシ４９０は、前記ボトムシャーシ２５０と結合し、前記液晶表示パネル４１０を前記モールドフレーム４８０に固定する。ここで、前記ソース印刷回路基板４２０は、前記ボトムシャーシ２５０の側壁２５２と前記トップシャーシ４９０との間に配置される。
【００８３】
以上、実施形態を参照して説明したが、当業者は特許請求の範囲に記載した本発明の思想及び範囲から逸脱しない範囲内で本発明を多様に修正及び変更させることを理解することができるであろう。
【図面の簡単な説明】
【００８４】
【図１】本発明の一実施形態に係る光源を示した斜視図である。
【図２】図１の切断線Ｉ−Ｉ´に沿って切断した断面図である。
【図３】本発明の他の実施形態に係る光源を示した断面図である。
【図４】本発明のさらに他の実施形態に係る光源を示した断面図である。
【図５】本発明のさらに他の実施形態に係る光源を示した断面図である。
【図６】本発明のさらに他の実施形態に係る光源を示した断面図である。
【図７】本発明のさらに他の実施形態に係る光源を示した断面図である。
【図８】本発明の一実施形態に係るバックライトアセンブリーを示した分解斜視図である。
【図９】図８の切断線ＩＩ−ＩＩ´に沿って切断したバックライトアセンブリーを示した断面図である。
【図１０】本発明の一実施形態に係る液晶表示装置を示したブロック図である。
【図１１】図１０に示したバックライトアセンブリーと表示パネルアセンブリーを示した分解斜視図である。
【符号の説明】
【００８５】
１００ａ    光源、
１００ｂ    光源、
１００ｃ    光源、
１００ｄ    光源、
１００ｅ    光源、
１００ｆ    光源、
１１０      ランプボディー、
１２０      蛍光層、
１３１      遮断層、
１３２      遮断層、
１３３      遮断層、
１３４      遮断層、
１３５      遮断層、
１３６      遮断層、
２００      バックライトアセンブリー、
２１０      光供給ユニット、
２２０      拡散板、
２３０      光学シート、
２４０      反射板、
２５０      ボトムシャーシ、
２６１      インバーターボード、
２６２      インバーターボード、
２７１      シールドケース、
２７２      シールドケース、
４７０      シールドケース、
２８１      サイドモールド、
２８２      サイドモールド、
３００      映像信号処理部、
４００      パネルアセンブリー、
４１０      液晶表示パネル、
４２０      ソース印刷回路基板、
４３０      テープキャリアパッケージ、
４４０      テープキャリアパッケージ、
４５０      コントロール印刷回路基板、
４６０      フレキシブルプリント基板、
４８０      モールドフレーム、
４９０      トップシャーシ、
５００      遠隔制御部  、
６００      受信部、
７００      メイン制御部、
８００      表示装置。
【図１】
2008066277.tif 000003
【図２】
2008066277.tif 000004
【図３】
2008066277.tif 000005
【図４】
2008066277.tif 000006
【図５】
2008066277.tif 000007
【図６】
2008066277.tif 000008
【図７】
2008066277.tif 000009
【図８】
2008066277.tif 000010
【図９】
2008066277.tif 000011
【図１０】
2008066277.tif 000012
【図１１】
2008066277.tif 000013